(57)【要約】【課題】簡易な構成で、居住者の外出中に来訪した来訪者のうち、特定の来訪者のみを外出先の居住者が知ることが可能なセキュリティ装置及びセキュリティシステムを提供する。【解決手段】セキュリティ装置２において、記憶手段は、複数のピンコードと各々に対応する処理とを互いに対応づけて記憶し、受信手段は、室外機器１において入力されたピンコードを受信し、判別手段は、受信手段により受信されたピンコードが記憶手段に記憶されたピンコードであるか否かに基づいて、ピンコードが正規のピンコードであるか否かを判別し、決定手段は、判別手段によりピンコードが正規のピンコードであると判別された場合に、ピンコードに対応する処理を記憶手段に基づいて決定し、通知手段は、決定手段により決定された処理が端末装置３への通知処理を含む場合に、端末装置３に来訪者の来訪を通知する。【選択図】図２
2009230687.tif 000002
【特許請求の範囲】
【請求項１】
室外に設置された室外機器と端末装置とのそれぞれに通信回線を介して接続されるセキュリティ装置において、
複数のピンコードと各々に対応する処理とを互いに対応づけて記憶する記憶手段と、
前記室外機器において入力されたピンコードを受信する受信手段と、
前記受信手段により受信された前記ピンコードが前記記憶手段に記憶されたピンコードであるか否かに基づいて、前記ピンコードが正規のピンコードであるか否かを判別する判別手段と、
前記判別手段により前記ピンコードが正規のピンコードであると判別された場合に、前記ピンコードに対応する処理を前記記憶手段に基づいて決定する決定手段と、
前記決定手段により決定された処理が前記端末装置への通知処理を含む場合に、前記端末装置に来訪者の来訪を通知する通知手段と、
を備えることを特徴とするセキュリティ装置。
【請求項２】
前記通知手段により来訪者の来訪が通知された前記端末装置からの解錠指示に基づいて施錠を解除する施錠制御手段を備え、
前記記憶手段は、前記複数のピンコードのうち、第１ピンコードに、前記通知手段による前記端末装置への通知処理のみを対応付けて記憶し、第２ピンコードに、前記通知手段による前記端末装置への通知処理及び前記施錠制御手段による施錠解除処理を対応付けて記憶することを特徴とする請求項１に記載のセキュリティ装置。
【請求項３】
室外に設置された第１機器と、当該第１機器と第１の通信回線を介して接続される第２機器と、当該第２機器と第２の通信回線を介して接続される第３機器と、を備えるセキュリティシステムにおいて、
前記第１機器は、
ピンコードを入力する入力手段と、
前記入力手段により入力された前記ピンコードを第２機器に送信する第１送信手段と、
を備え、
前記第２機器は、
複数のピンコードと各々に対応する処理とを互いに対応づけて記憶する記憶手段と、
前記第１送信手段により送信された前記ピンコードを受信する第１受信手段と、
前記第１受信手段により受信された前記ピンコードが前記記憶手段に記憶されたピンコードであるか否かに基づいて、前記ピンコードが正規のピンコードであるか否かを判別する判別手段と、
前記判別手段により前記ピンコードが正規のピンコードであると判別された場合に、前記ピンコードに対応した処理を前記記憶手段に基づいて決定する決定手段と、
前記決定手段により決定された処理が前記第３機器への通知処理を含む場合に、前記第３機器に来訪者の来訪を通知する通知手段と、
を備えることを特徴とするセキュリティシステム。
【請求項４】
前記第１機器は、
来訪者を撮像して撮像画像データを取得する撮像手段と、
前記撮像手段により取得された前記撮像画像データを前記第２機器に送信する第２送信手段と、
を備え、
前記第２機器は、
前記第２送信手段により送信された前記撮像画像データを受信する第２受信手段と、
前記決定手段により決定された処理が前記第３機器への撮像画像データの送信処理を含む場合に、前記第２受信手段により受信された前記撮像画像データを前記第３機器に送信する第３送信手段と、
を備え、
前記第３機器は、
前記第３送信手段により送信された前記撮像画像データを受信する第３受信手段と、
前記第３受信手段により受信された前記撮像画像データを出力する出力手段と、
を備えることを特徴とする請求項３に記載のセキュリティシステム。
【請求項５】
前記第１機器は、音声を入力するとともに、前記第２機器から送信された音声を出力する第１通話手段を備え、
前記第３機器は、音声を入力するとともに、前記第２機器から送信された音声を出力する第２通話手段を備え、
前記第２機器は、前記決定手段により決定された処理が通話処理を含む場合に、前記第１機器における前記第１通話手段により入力された音声を前記第３機器に送信するとともに、前記第３機器における前記第２通話手段により入力された音声を前記第１機器に送信する第４送信手段を備えることを特徴とする請求項３又は４に記載のセキュリティシステム。
【請求項６】
前記第３機器は、施錠の解除を指示するための指示入力手段を備え、
前記第２機器は、前記決定手段により決定された処理が施錠解除処理を含み且つ前記指示入力手段により施錠の解除が指示された場合に、施錠を解除する施錠制御手段を備えることを特徴とする請求項３〜５の何れか一項に記載のセキュリティシステム。
【請求項７】
前記記憶手段は、前記複数のピンコードの各々に、前記通知手段による前記第３機器への通知処理、前記第３送信手段による前記第３機器への撮像画像データの送信処理、前記第４送信手段による通話処理又は前記施錠制御手段による施錠解除処理のうちの一又は複数の処理を対応づけて記憶することを特徴とする請求項３〜６の何れか一項に記載のセキュリティシステム。
【請求項８】
室外に設置された第１機器と、当該第１機器と第１の通信回線を介して接続される第２機器と、当該第２機器と第２の通信回線を介して接続される第３機器と、を備えるセキュリティシステムにおいて、
前記第１機器は、
ピンコードを入力する入力手段と、
前記入力手段により入力された前記ピンコードを第２機器に送信する第１送信手段と、  来訪者を撮像して撮像画像データを取得する撮像手段と、
前記撮像手段により取得された前記撮像画像データを前記第２機器に送信する第２送信手段と、
音声を入力するとともに、前記第２機器から送信された音声を出力する第１通話手段と、
を備え、
前記第２機器は、
複数のピンコードと各々に対応する処理とを互いに対応づけて記憶する記憶手段と、
前記第１送信手段により送信された前記ピンコードを受信する第１受信手段と、
前記第１受信手段により受信された前記ピンコードが前記記憶手段に記憶されたピンコードであるか否かに基づいて、前記ピンコードが正規のピンコードであるか否かを判別する判別手段と、
前記判別手段により前記ピンコードが正規のピンコードであると判別された場合に、前記ピンコードに対応した処理を前記記憶手段に基づいて決定する決定手段と、
前記決定手段により決定された処理が前記第３機器への通知処理を含む場合に、前記第３機器に来訪者の来訪を通知する通知手段と、
前記第２送信手段により送信された前記撮像画像データを受信する第２受信手段と、
前記決定手段により決定された処理が前記第３機器への撮像画像データの送信処理を含む場合に、前記第２受信手段により受信された前記撮像画像データを前記第３機器に送信する第３送信手段と、
前記決定手段により決定された処理が通話処理を含む場合に、前記第１機器における前記第１通話手段により入力された音声を前記第３機器に送信するとともに、前記第３機器における第２通話手段により入力された音声を前記第１機器に送信する第４送信手段と、
前記決定手段により決定された処理が施錠解除処理を含み且つ指示入力手段により施錠の解除が指示された場合に、施錠を解除する施錠制御手段と、
を備え、
前記第３機器は、
前記第３送信手段により送信された前記撮像画像データを受信する第３受信手段と、
前記第３受信手段により受信された前記撮像画像データを出力する出力手段と、
音声を入力するとともに、前記第２機器から送信された音声を出力する前記第２通話手段と、
施錠の解除を指示するための前記指示入力手段と、
を備え、
前記記憶手段は、前記複数のピンコードの各々に、前記通知手段による前記第３機器への通知処理、前記第３送信手段による前記第３機器への撮像画像データの送信処理、前記第４送信手段による通話処理又は前記施錠制御手段による施錠解除処理のうちの一又は複数の処理を対応づけて記憶することを特徴とするセキュリティシステム。
【発明の詳細な説明】
【技術分野】
【０００１】
本発明は、セキュリティ装置及びセキュリティシステムに関する。
【背景技術】
【０００２】
従来、家人の外出中に自宅に来訪した来訪者を、外出先の家人に通知するシステムが知られている。
例えば、特許文献１の音声・画像インターホンシステムは、宅外に設置された音声・画像転送インターホン端末と、宅内に設置された音声・画像インターホン本体とから成るシステムである。このシステムでは、来訪者が呼び出しスイッチを入れると、来訪者の静止画像が取得され、予め設定された電話番号とＩＤに基づいて、外出先の家人が持つ携帯電話に電話がかかる。そして、家人は、来訪者の静止画像を見ながら、その来訪者と通話することができる。
【０００３】
しかしながら、上記特許文献１のシステムでは、呼び出しスイッチが入る度に外出先の家人の携帯電話に通知されるため、悪戯や訪問販売、勧誘といった不要の来客にも対応しなければならなくなり、大変に煩わしく、通信にかかるコストや時間が無駄であるという問題があった。
そこで、特許文献２には、来訪した訪問者のうち、予約されている訪問者であることが確認されたときのみ、予約されている訪問者が来訪したことを示す情報が不在中の管理者の携帯端末に送信される訪問者認証システムが開示されている。
【特許文献１】特許第３６４１９６０号
【特許文献２】特開２００７−１２２４８０号公報
【発明の開示】
【発明が解決しようとする課題】
【０００４】
ところが、上記特許文献２のシステムでは、訪問者の認証に指紋データや目の虹彩データ等の生体認証データを用いているため、コストが高騰するという問題や、生体認証データを予め登録しなければ訪問者を予約することができず不便であるという問題、更に、個人情報が流出してしまう危険性がある等、数々の問題がある。
【０００５】
本発明の課題は、簡易な構成で、居住者の外出中に来訪した来訪者のうち、特定の来訪者のみを外出先の居住者が知ることが可能なセキュリティ装置及びセキュリティシステムを提供することである。
【課題を解決するための手段】
【０００６】
上記課題を解決するため、請求項１に記載の発明は、室外に設置された室外機器と端末装置とのそれぞれに通信回線を介して接続されるセキュリティ装置において、
複数のピンコードと各々に対応する処理とを互いに対応づけて記憶する記憶手段と、
前記室外機器において入力されたピンコードを受信する受信手段と、
前記受信手段により受信された前記ピンコードが前記記憶手段に記憶されたピンコードであるか否かに基づいて、前記ピンコードが正規のピンコードであるか否かを判別する判別手段と、
前記判別手段により前記ピンコードが正規のピンコードであると判別された場合に、前記ピンコードに対応する処理を前記記憶手段に基づいて決定する決定手段と、
前記決定手段により決定された処理が前記端末装置への通知処理を含む場合に、前記端末装置に来訪者の来訪を通知する通知手段と、
を備えることを特徴とする。
【０００７】
請求項２に記載の発明は、請求項１に記載のセキュリティ装置において、前記通知手段により来訪者の来訪が通知された前記端末装置からの解錠指示に基づいて施錠を解除する施錠制御手段を備え、
前記記憶手段は、前記複数のピンコードのうち、第１ピンコードに、前記通知手段による前記端末装置への通知処理のみを対応付けて記憶し、第２ピンコードに、前記通知手段による前記端末装置への通知処理及び前記施錠制御手段による施錠解除処理を対応付けて記憶することを特徴とする。
【０００８】
請求項３に記載の発明は、室外に設置された第１機器と、当該第１機器と第１の通信回線を介して接続される第２機器と、当該第２機器と第２の通信回線を介して接続される第３機器と、を備えるセキュリティシステムにおいて、
前記第１機器は、
ピンコードを入力する入力手段と、
前記入力手段により入力された前記ピンコードを第２機器に送信する第１送信手段と、
を備え、
前記第２機器は、
複数のピンコードと各々に対応する処理とを互いに対応づけて記憶する記憶手段と、
前記第１送信手段により送信された前記ピンコードを受信する第１受信手段と、
前記第１受信手段により受信された前記ピンコードが前記記憶手段に記憶されたピンコードであるか否かに基づいて、前記ピンコードが正規のピンコードであるか否かを判別する判別手段と、
前記判別手段により前記ピンコードが正規のピンコードであると判別された場合に、前記ピンコードに対応した処理を前記記憶手段に基づいて決定する決定手段と、
前記決定手段により決定された処理が前記第３機器への通知処理を含む場合に、前記第３機器に来訪者の来訪を通知する通知手段と、
を備えることを特徴とする。
【０００９】
請求項４に記載の発明は、請求項３に記載のセキュリティシステムにおいて、前記第１機器は、
来訪者を撮像して撮像画像データを取得する撮像手段と、
前記撮像手段により取得された前記撮像画像データを前記第２機器に送信する第２送信手段と、
を備え、
前記第２機器は、
前記第２送信手段により送信された前記撮像画像データを受信する第２受信手段と、
前記決定手段により決定された処理が前記第３機器への撮像画像データの送信処理を含む場合に、前記第２受信手段により受信された前記撮像画像データを前記第３機器に送信する第３送信手段と、
を備え、
前記第３機器は、
前記第３送信手段により送信された前記撮像画像データを受信する第３受信手段と、
前記第３受信手段により受信された前記撮像画像データを出力する出力手段と、
を備えることを特徴とする。
【００１０】
請求項５に記載の発明は、請求項３又は４に記載のセキュリティシステムにおいて、前記第１機器は、音声を入力するとともに、前記第２機器から送信された音声を出力する第１通話手段を備え、
前記第３機器は、音声を入力するとともに、前記第２機器から送信された音声を出力する第２通話手段を備え、
前記第２機器は、前記決定手段により決定された処理が通話処理を含む場合に、前記第１機器における前記第１通話手段により入力された音声を前記第３機器に送信するとともに、前記第３機器における前記第２通話手段により入力された音声を前記第１機器に送信する第４送信手段を備えることを特徴とする。
【００１１】
請求項６に記載の発明は、請求項３〜５の何れか一項に記載のセキュリティシステムにおいて、前記第３機器は、施錠の解除を指示するための指示入力手段を備え、
前記第２機器は、前記決定手段により決定された処理が施錠解除処理を含み且つ前記指示入力手段により施錠の解除が指示された場合に、施錠を解除する施錠制御手段を備えることを特徴とする。
【００１２】
請求項７に記載の発明は、請求項３〜６の何れか一項に記載のセキュリティシステムにおいて、前記記憶手段は、前記複数のピンコードの各々に、前記通知手段による前記第３機器への通知処理、前記第３送信手段による前記第３機器への撮像画像データの送信処理、前記第４送信手段による通話処理又は前記施錠制御手段による施錠解除処理のうちの一又は複数の処理を対応づけて記憶することを特徴とする。
【００１３】
請求項８に記載の発明は、室外に設置された第１機器と、当該第１機器と第１の通信回線を介して接続される第２機器と、当該第２機器と第２の通信回線を介して接続される第３機器と、を備えるセキュリティシステムにおいて、
前記第１機器は、
ピンコードを入力する入力手段と、
前記入力手段により入力された前記ピンコードを第２機器に送信する第１送信手段と、  来訪者を撮像して撮像画像データを取得する撮像手段と、
前記撮像手段により取得された前記撮像画像データを前記第２機器に送信する第２送信手段と、
音声を入力するとともに、前記第２機器から送信された音声を出力する第１通話手段と、
を備え、
前記第２機器は、
複数のピンコードと各々に対応する処理とを互いに対応づけて記憶する記憶手段と、
前記第１送信手段により送信された前記ピンコードを受信する第１受信手段と、
前記第１受信手段により受信された前記ピンコードが前記記憶手段に記憶されたピンコードであるか否かに基づいて、前記ピンコードが正規のピンコードであるか否かを判別する判別手段と、
前記判別手段により前記ピンコードが正規のピンコードであると判別された場合に、前記ピンコードに対応した処理を前記記憶手段に基づいて決定する決定手段と、
前記決定手段により決定された処理が前記第３機器への通知処理を含む場合に、前記第３機器に来訪者の来訪を通知する通知手段と、
前記第２送信手段により送信された前記撮像画像データを受信する第２受信手段と、
前記決定手段により決定された処理が前記第３機器への撮像画像データの送信処理を含む場合に、前記第２受信手段により受信された前記撮像画像データを前記第３機器に送信する第３送信手段と、
前記決定手段により決定された処理が通話処理を含む場合に、前記第１機器における前記第１通話手段により入力された音声を前記第３機器に送信するとともに、前記第３機器における第２通話手段により入力された音声を前記第１機器に送信する第４送信手段と、
前記決定手段により決定された処理が施錠解除処理を含み且つ指示入力手段により施錠の解除が指示された場合に、施錠を解除する施錠制御手段と、
を備え、
前記第３機器は、
前記第３送信手段により送信された前記撮像画像データを受信する第３受信手段と、
前記第３受信手段により受信された前記撮像画像データを出力する出力手段と、
音声を入力するとともに、前記第２機器から送信された音声を出力する前記第２通話手段と、
施錠の解除を指示するための前記指示入力手段と、
を備え、
前記記憶手段は、前記複数のピンコードの各々に、前記通知手段による前記第３機器への通知処理、前記第３送信手段による前記第３機器への撮像画像データの送信処理、前記第４送信手段による通話処理又は前記施錠制御手段による施錠解除処理のうちの一又は複数の処理を対応づけて記憶することを特徴とする。
【発明の効果】
【００１４】
本発明によれば、室外に設置された室外機器と端末装置とのそれぞれに通信回線を介して接続されるセキュリティ装置において、記憶手段により、複数のピンコードと対応する処理とが互いに対応づけて記憶され、受信手段により、室外機器において入力されたピンコードが受信され、判別手段により、受信手段により受信されたピンコードが記憶手段に記憶されたピンコードであるか否かに基づいて、ピンコードが正規のピンコードであるか否かが判別され、決定手段により、判別手段によりピンコードが正規のピンコードであると判別された場合に、ピンコードに対応する処理が記憶手段に基づいて決定され、通知手段により、決定手段により決定された処理が端末装置への通知処理を含む場合に、端末装置に来訪者の来訪が通知される。
すなわち、室外機器において来訪者により入力されたピンコードが、正規のピンコードであり且つ記憶手段により記憶された当該ピンコードに対応する処理が端末装置への通知処理を含む場合にのみ、端末装置に来訪者の来訪が通知されることとなる。したがって、簡易な構成で、居住者の外出中に来訪した来訪者のうち、特定の来訪者のみを外出先の居住者が知ることが可能なセキュリティ装置を提供することができる。
【発明を実施するための最良の形態】
【００１５】
以下、本発明の実施の形態を、図面を参照しながら詳細に説明する。
ここで、図１は、本実施形態のセキュリティシステムの全体構成を示す図である。図２は、本実施形態のセキュリティシステムの要部構成を示すブロック図である。図３は、セキュリティ装置に備わる記憶部を例示する図である。図４〜図６は、本実施形態のセキュリティシステムにおいて、室外機器、セキュリティ装置、端末機器の間で実行される処理を示すフローチャートである。
【００１６】
本実施形態のセキュリティシステムＳは、図１に示すように、室外に設置された室外機器（第１機器）１と、この室外機器１と第１の通信回線Ｃ１を介して接続されるセキュリティ装置（第２機器）２と、このセキュリティ装置２と第２の通信回線Ｃ２を介して接続される端末装置（第３機器）３とを備えて構成される。
室外機器１は、例えば、室外の玄関ドア付近等に設置されたインタフォン装置であり、来訪者が居住者を訪問した際に使用する。
端末装置３は、例えば、居住者が外出先等で使用可能な携帯電話機、ＰＣ（Personal Computer）、一般の固定電話、ＩＰ（Internet Protocol）電話、Ｗｉ−Ｆｉフォン等である。なお、端末装置３はこれに限られることなく、第２の通信回線Ｃ２を介してセキュリティ装置２と通信可能な電子機器であれば良い。
セキュリティ装置２は、室内等に設置され、室外機器１と端末装置３とにそれぞれ接続される。
【００１７】
室外機器１とセキュリティ装置２とを接続する第１の通信回線Ｃ１、及び、セキュリティ装置２と端末装置３とを接続する第２の通信回線Ｃ２としては、無線又は有線の何れの通信回線を用いても良く、室外機器１・セキュリティ装置２・端末装置３の種別や形態に応じた通信回線が採用される。例えば、端末装置３が携帯電話機である場合には、第２の通信回線Ｃ２には携帯電話網が含まれる。また、例えば、端末装置３がＩＰ電話である場合には、第２の通信回線Ｃ２には、ＩＰネットワーク、ＶｏＩＰ（Voice over Internet Protocol）ゲートウェイ等が含まれる。
【００１８】
（室外機器の構成）
室外機器１は、例えば、図２に示すように、セキュリティ装置２との間で各種データの送受信を行う通信部（第１送信手段、第２送信手段）１１、来訪者がピンコード等を入力する入力部（入力手段）１２、来訪者を撮像する監視カメラ（撮像手段）１３、来訪者が居住者と通話する際に使用する第１通話部（第１通話手段）１４、制御部１５等を備えて構成され、第１の通信回線Ｃ１を介してセキュリティ装置２と接続される。
【００１９】
通信部１１は、第１の通信回線Ｃ１を介してセキュリティ装置２と接続される。具体的には、通信部１１は、後述する第１送信プログラム１５４ａの実行において、来訪者の入力したピンコードをセキュリティ装置２に送信し、後述する第２送信プログラム１５４ｃの実行において、来訪者を撮像した撮像画像データをセキュリティ装置２に送信する。また、来訪者と居住者との通話中に、第１通話部１４に入力される来訪者の音声に基づく音声データをセキュリティ装置２に送信するとともに、セキュリティ装置２から送られる居住者の音声に基づく音声データを受信する。
【００２０】
入力部１２は、例えば、図示しない呼出キー、数字キー、文字キー等を備えて構成される。居住者を訪ねてきた来訪者が、入力部１２において呼出キーを押下すると、「ピンコードを入力してください」等の音声メッセージを後述する第１スピーカ１４２から出力して、ピンコードの入力を要求する。来訪者は、このメッセージにしたがってピンコードを入力する。来訪者により入力されたピンコードは、後述する第１送信プログラム１５４ａの実行により、第１の通信回線Ｃ１を介してセキュリティ装置２に送信され、セキュリティ装置２において、室外機器１にて入力されたピンコードが正規のピンコードであるか否かが認証されることとなる。
ここで、来訪することが予定されている来訪者には、予めピンコードが付与されている。そして、セキュリティ装置２では、来訪者の入力したピンコードが、予め付与した正規のピンコードであるかの認証によって、来訪が予定されている来訪者か、或いは、来訪が予定されていない来訪者かを判別する。
また、来訪者に付与するピンコードには複数のピンコードがあり、各来訪者が来訪した際に必要な処理に応じて、個々の来訪者に最適なピンコードが付与されている。そして、来訪者の入力したピンコードが正規のピンコードである場合には、そのピンコードに対応する各種の処理（例えば、居住者が使用する端末装置３への通知、来訪者を撮像した撮像画像データの第３機器への送信、来訪者と居住者との通話、ドアの施錠等）を実行する。複数のピンコードと、各ピンコードに対応して実行される各種処理の詳細については後述する。
【００２１】
監視カメラ１３は、光が被写体に当って反射した反射光を収束して被写体像を結像する撮像レンズ（図示省略）、撮像レンズにより結像された被写体像に基づいて被写体画像を形成する撮像素子（図示省略）等を備える。
撮像レンズは、撮像素子の受光面に画像を結像することができるように配置されており、凹レンズや凸レンズ単体、或いはこれらの組み合わせにより構成されている。
撮像素子は、例えば、ＣＣＤ（Charge Coupled Device）やＣＭＯＳ（Complementary Metal Oxide Semiconductor）等から構成され、制御部１５の制御に従って撮像レンズの前方の撮像対象範囲を撮像する。より詳細には、撮像レンズから入力される結像画像を電気信号に変換し、Ａ／Ｄ変換回路等でデジタル信号としての撮像画像データを生成して制御部１５に出力する。
監視カメラ１３は、後述する撮像プログラム１５４ｂの実行に際して、来訪者の少なくとも顔部分を撮像して撮像画像データを取得し、図示しない画像処理回路において、取得した撮像画像データに所定の補正処理を行った後に通信部１１に出力する。なお、監視カメラ１３において取得する撮像画像データは静止画又は動画の何れでも良い。また、夜間の撮影にも支障がないよう、撮像エリアに光を照射する照明装置（図示省略）を備えていても良い。
【００２２】
第１通話部１４は、音声を入力する第１マイクロフォン１４１、セキュリティ装置２から送信された音声を出力する第１スピーカ１４２、増幅等の各種音声処理を行う音声処理回路（図示省略）等を備え、後述する第４送信プログラム２２４ｇの実行に際して、端末装置３を使用する居住者との間の通話を実現する。
第１マイクロフォン１４１は、来訪者の入力した音声を電気信号に変換する。第１マイクロフォン１４１により入力された来訪者の音声は、セキュリティ装置２を介して端末装置３に伝送される。
第１スピーカ１４２は、セキュリティ装置２を介して端末装置３から送信される電気信号を音声に変換して出力することにより、端末装置３側で応対する居住者の音声を出力する。
【００２３】
制御部１５は、例えば、ＣＰＵ（Central Processing Unit）１５１、ＣＰＵ１５１のワークエリアとして用いられるＲＡＭ（Random Access Memory）１５２等の揮発性メモリ、ＥＥＰＲＯＭ（Electrically Erasable Programmable ROM）１５３、ＲＯＭ（Read Only Memory）１５４等の不揮発性メモリ等を備えて構成される。
【００２４】
ＣＰＵ１５１は、室外機器１の各部から入力される入力信号に応じて、ＲＯＭ１５４に格納された各種プログラムを実行するとともに、実行にかかるプログラムに基づいて各部に出力信号を出力することにより、室外機器１の動作全般を統括制御する。
【００２５】
ＲＯＭ１５４は、プログラム格納エリアを有しており、具体的には、第１送信プログラム１５４ａ、撮像プログラム１５４ｂ、第２送信プログラム１５４ｃ等を格納している。
【００２６】
第１送信プログラム１５４ａは、例えば、ＣＰＵ１５１に、入力部１２により入力されたピンコードをセキュリティ装置２に送信する機能を実現させるためのプログラムである。
具体的には、入力部１２において来訪者がピンコードを入力すると、ＣＰＵ１５１は、来訪者により入力されたピンコードを第１の通信回線Ｃ１を介してセキュリティ装置２に送信する。
ＣＰＵ１５１は、かかる第１送信プログラム１５４ａを実行することにより、通信部１１とともに第１送信手段として機能する。
【００２７】
撮像プログラム１５４ｂは、例えば、ＣＰＵ１５１に、来訪者を撮像して撮像画像データを取得する機能を実現させるためのプログラムである。
具体的には、ＣＰＵ１５１は、所定のタイミングで、監視カメラ１３により来訪者を撮像して撮像画像データを取得する。監視カメラ１３による撮像は、例えば、セキュリティ装置２により撮像が指示されたタイミングで実行される。ここで、セキュリティ装置２は、後述する決定プログラム２２４ｃの実行において、来訪者により入力されたピンコードに対応して決定された処理に「撮像画像データの送信処理」が含まれている場合に、室外機器１に対して来訪者の撮像を指示するように構成されている。
なお、撮像を行う所定のタイミングは、セキュリティ装置２から撮像の指示が入力された場合のみならず、入力部１２において来訪者によりピンコードが入力された場合や、玄関ドア付近に設けられた人体検出用の検出センサ（図示省略）により人体が検出された場合、端末装置３側の居住者から撮像の指示が入力された場合であっても良い。また常時、玄関ドア付近の撮像を行うように構成されていても良い。
ＣＰＵ１５１は、かかる撮像プログラム１５４ｂを実行することにより、監視カメラ１３とともに撮像手段として機能する。
【００２８】
第２送信プログラム１５４ｃは、例えば、ＣＰＵ１５１に、撮像プログラム１５４ｂの実行により取得された撮像画像データをセキュリティ装置２に送信する機能を実現させるためのプログラムである。
具体的には、ＣＰＵ１５１は、監視カメラ１３により来訪者の撮像画像データが取得されると、取得された撮像画像データを第１の通信回線Ｃ１を解してセキュリティ装置２に送信する。
ＣＰＵ１５１は、かかる第２送信プログラム１５４ｃを実行することにより、通信部１１とともに第２送信手段として機能する。
【００２９】
（セキュリティ装置の構成）
セキュリティ装置２は、例えば、図２に示すように、室外機器１と端末装置３との間で各種データの送受信を行う通信部（第１受信手段、通知手段、第２受信手段、第３送信手段、第４送信手段）２１、制御部２２、玄関ドアの電子錠と接続され、施錠／開錠を行う施錠駆動部２３等を備えて構成される。
【００３０】
通信部２１は、室外機器１と第１の通信回線Ｃ１を介して接続され、端末装置３と第２の通信回線Ｃ２を介して接続される。具体的には、通信部２１は、後述する第１受信プログラム２２４ａの実行において室外機器１から送られてくるピンコードを受信し、後述する通知プログラム２２４ｄの実行において、来訪者の来訪を通知するための所定の情報を端末装置３に送信する。また、後述する第２受信プログラム２２４ｅの実行において、室外機器１から送られてくる来訪者を撮像した撮像画像データを受信し、第３送信プログラム２２４ｆの実行において、室外機器１から送られてきた撮像画像データを端末装置３に送信する。さらに、来訪者と居住者との通話中に、室外機器１から送られてくる来訪者の音声に基づく音声データを受信して端末装置３に転送するとともに、端末装置３から送られてくる居住者の音声に基づく音声データを受信して室外機器１に転送する。
【００３１】
制御部２２は、例えば、ＣＰＵ（Central Processing Unit）２２１、ＣＰＵ２２１のワークエリアとして用いられるＲＡＭ（Random Access Memory）２２２等の揮発性メモリ、ＥＥＰＲＯＭ（Electrically Erasable Programmable ROM）等から成る記憶部（記憶手段）２２３、ＲＯＭ（Read Only Memory）２２４等の不揮発性メモリ等を備えて構成される。
【００３２】
ＣＰＵ２２１は、セキュリティ装置２の各部から入力される入力信号に応じて、ＲＯＭ２２４に格納された各種プログラムを実行するとともに、実行にかかるプログラムに基づいて各部に出力信号を出力することにより、セキュリティ装置２の動作全般を統括制御する。
【００３３】
記憶部２２３は、複数のピンコードと、これらのピンコードの各々に対応する処理とを互いに対応づけて記憶する。各ピンコードに対応付けられる処理としては、端末装置３への通知処理、端末装置３への撮像画像データの送信処理、通話処理、施錠解除処理が有り、これらの処理の中から一又は複数の処理が対応付けられる。
【００３４】
図３は、本実施形態における記憶部２２３を例示する図である。
図３の記憶部２２３では、第１〜第４ピンコードの４つのピンコードが記憶されている。そして、第１ピンコード「ｗｗｗｗ」には、「端末装置３への通知処理」が対応付けられており、第２ピンコード「ｘｘｘｘ」には、「端末装置３への通知処理」及び「施錠解除処理」が対応付けられている。また、第３ピンコード「ｙｙｙｙ」には、「端末装置３への通知処理」、「撮像画像データの送信処理」及び「通話処理」が対応付けられている。さらに、第４ピンコード「ｚｚｚｚ」には、「端末装置３への通知処理」、「施錠解除処理」、「撮像画像データの送信処理」及び「通話処理」が対応付けられている。
これらのピンコードは、その来訪者が来訪した際に必要な処理に応じて、個々の来訪者に最適なピンコードが付与される。例えば、来訪したことの通知があれば足りる来訪者には第１ピンコード「ｘｘｘｘ」を付与し、来訪したことの通知に加えて、画像による来訪者の確認と通話が必要な来訪者には第３ピンコード「ｙｙｙｙ」を付与する。また、例えば、鍵を持たずに外出する可能性のある子ども等の同居人に対して、帰宅したことの通知と施錠の解除があれば足りる場合には第２ピンコード「ｙｙｙｙ」を付与し、帰宅したことの通知と施錠の解除のみならず、画像による確認と通話が必要な場合には第４ピンコード「ｚｚｚｚ」を付与する。
【００３５】
ＲＯＭ２２４は、プログラム格納エリアを有しており、具体的には、第１受信プログラム２２４ａ、判別プログラム２２４ｂ、決定プログラム２２４ｃ、通知プログラム２２４ｄ、第２受信プログラム２２４ｅ、第３送信プログラム２２４ｆ、第４送信プログラム２２４ｇ、施錠制御プログラム２２４ｈ等を格納している。
【００３６】
第１受信プログラム２２４ａは、例えば、ＣＰＵ２２１に、第１送信プログラム１５４ａの実行により送信されたピンコードを受信する機能を実現させるためのプログラムである。
具体的には、ＣＰＵ２２１は、室外機器１の入力部１２において来訪者の入力したピンコードが送られてくると、通信部２１において、このピンコードを受信する。
ＣＰＵ２２１は、かかる第１受信プログラム２２４ａを実行することにより、通信部２１とともに第１受信手段として機能する。
【００３７】
判別プログラム２２４ｂは、例えば、ＣＰＵ２２１に、第１受信プログラム２２４ａの実行により受信されたピンコードが記憶部２２３に記憶されたピンコードであるか否かに基づいて、ピンコードが正規のピンコードであるか否かを判別する機能を実現させるためのプログラムである。
具体的には、ＣＰＵ２２１は、室外機器１の入力部１２において来訪者が入力したピンコードが、記憶部２２３に記憶されたピンコードであるか否かを判断する。そして、来訪者が入力したピンコードが記憶部２２３に記憶されたピンコードと一致する場合には、このピンコードが正規のピンコードであると判別する。一方、来訪者が入力したピンコードが記憶部２２３に記憶されたピンコードの何れとも一致しない場合には、このピンコードが正規のピンコードでないと判別する。
即ち、例えば、来訪者の入力したピンコードが「ｙｙｙｙ」である場合、このピンコードは、図３の記憶部２２３に記憶されているため、正規のピンコードであると判別される。一方、例えば、来訪者の入力したピンコードが「ｗｘｙｚ」である場合、このピンコードは、図３の記憶部２２３に記憶されていないため、正規のピンコードでないと判別される。
ＣＰＵ２２１は、かかる判別プログラム２２４ｂを実行することにより、判別手段として機能する。
【００３８】
決定プログラム２２４ｃは、例えば、ＣＰＵ２２１に、判別プログラム２２４ｂの実行によりピンコードが正規のピンコードであると判別された場合に、ピンコードに対応した処理を記憶部２２３に基づいて決定する機能を実現させるためのプログラムである。
具体的には、ＣＰＵ２２１は、来訪者が入力したピンコードが正規のピンコードである場合、記憶部２２３を参照し、そのピンコードに対応する処理を決定する。
例えば、図３の記憶部２２３の例において、来訪者の入力したピンコードが「ｗｗｗｗ」である場合、「端末装置３への通知処理」が来訪者の入力したピンコードに対応する処理として決定される。また、来訪者の入力したピンコードが「ｘｘｘｘ」である場合、「端末装置３への通知処理」及び「施錠解除処理」が来訪者の入力したピンコードに対応する処理として決定される。また、来訪者の入力したピンコードが「ｙｙｙｙ」である場合、「端末装置３への通知処理」、「撮像画像データの送信処理」、「通話処理」が来訪者の入力したピンコードに対応する処理として決定される。また、例えば、来訪者の入力したピンコードが「ｚｚｚｚ」である場合、「端末装置３への通知処理」、「施錠解除処理」、「撮像画像データの送信処理」、「通話処理」が来訪者の入力したピンコードに対応する処理として決定される。
ＣＰＵ２２１は、かかる決定プログラム２２４ｃを実行することにより、決定手段として機能する。
【００３９】
通知プログラム２２４ｄは、例えば、ＣＰＵ２２１に、決定プログラム２２４ｃの実行により決定された処理が端末装置３への通知処理を含む場合に、端末装置３に来訪者の来訪を通知する機能を実現させるためのプログラムである。
具体的には、ＣＰＵ２２１は、ピンコードに対応する処理として決定された処理に「端末装置３への通知処理」が含まれる場合、来訪者の来訪を通知する所定の情報を第２の通信回線Ｃ２を介して端末装置３に送信することにより、来訪者が居住者を訪問してきた旨を外出先の居住者に通知する。つまり、端末装置３を使用する居住者には、少なくとも端末装置３への通知処理に対応づけられたピンコード（図３の記憶部では、「ｗｗｗｗ」、「ｘｘｘｘ」、「ｙｙｙｙ」、「ｚｚｚｚ」）を付与された来訪者が来訪したときのみ、その来訪が通知される。
来訪者の来訪を通知する所定の情報は、例えば、電子メール等により、予め登録された端末装置３のアドレスに送信される。居住者は、この電子メールを閲覧することにより留守中に来訪があった旨を知ることができる。また、来訪者が来訪した旨の通知とともに、来訪者の来訪日時、入力されたピンコード、決定プログラム２２４ｃの実行において決定された処理（実行可能な処理）等の関連情報が併せて通知されるように構成されていても良い。
なお、来訪者の来訪を通知するための情報及びその送信方法は電子メールに限られず、例えば、端末装置３との間で予め規定された所定のコードを端末装置３に送信するように構成されていても良い。端末装置３では、当該コードの受信に基づいて、例えば、ディスプレイにおける「来訪有り」等の文字表示や、ブザー音等の出力、ランプの点滅等により、居住者に来訪者の来訪を通知する。
ＣＰＵ２２１は、かかる通知プログラム２２４ｄを実行することにより、通信部２１とともに通知手段として機能する。
【００４０】
第２受信プログラム２２４ｅは、例えば、ＣＰＵ２２１に、第２送信プログラム１５４ｃの実行により送信された撮像画像データを受信する機能を実現させるためのプログラムである。
具体的には、ＣＰＵ２２１は、室外機器１から送信される来訪者を撮像した撮像画像データを通信部２１において受信する。
ＣＰＵ２２１は、かかる第２受信プログラム２２４ｅを実行することにより、通信部２１とともに第２受信手段として機能する。
【００４１】
第３送信プログラム２２４ｆは、例えば、ＣＰＵ２２１に、決定プログラム２２４ｃの実行により決定された処理が端末装置３への撮像画像データの送信処理を含む場合に、第２受信プログラム２２４ｅの実行により受信された撮像画像データを端末装置３に送信する機能を実現させるためのプログラムである。
具体的には、ＣＰＵ２２１は、ピンコードに対応する処理として決定された処理に「撮像画像データの送信処理」が含まれる場合、室外機器１から受信した撮像画像データを、通信部２１により、端末装置３に対して送信する。つまり、端末装置３を使用する居住者には、少なくとも撮像画像データの送信処理に対応づけられたピンコード（図３の記憶部では、「ｙｙｙｙ」、「ｚｚｚｚ」）を付与された来訪者が来訪したときのみ、その来訪者の画像を見ることができる。
なお、この撮像画像データは、来訪者の来訪を通知する電子メール等の所定の情報とともに端末装置３に送信されるように構成されていても良く、また、来訪者の来訪を通知する電子メール等の所定の情報とは別に送信されるように構成されていても良い。
ＣＰＵ２２１は、かかる第３送信プログラム２２４ｆを実行することにより、第３送信手段として機能する。
【００４２】
第４送信プログラム２２４ｇは、例えば、ＣＰＵ２２１に、決定プログラム２２４ｃの実行により決定された処理が通話処理を含む場合に、室外機器１における第１通話部１４により入力された音声を端末装置３に送信するとともに、端末装置３における第２通話部３４により入力された音声を室外機器１に送信する機能を実現させるためのプログラムである。
具体的には、ＣＰＵ２２１は、ピンコードに対応する処理として決定された処理に「通話」が含まれる場合、室外機器１と端末装置３との間に通話路を形成する。そして、端末装置３側から伝送される居住者の音声の基づく音声データを通信部２１において受信し、この音声データを室外機器１に転送する。また、室外機器１側から伝送される来訪者の音声に基づく音声データを通信部２１において受信し、この音声データを端末装置３に転送する。これにより、端末機器３側の居住者と室外機器１側の来訪者との間で、通話が行われることとなる。つまり、端末装置３を使用する居住者は、少なくとも通話処理に対応づけられたピンコード（図３の記憶部では、「ｙｙｙｙ」、「ｚｚｚｚ」）を付与された来訪者が来訪したときのみ、その来訪者と通話することができる。
ＣＰＵ２２１は、かかる第４送信プログラム２２４ｇを実行することにより、第４送信手段として機能する。
【００４３】
施錠制御プログラム２２４ｈは、例えば、ＣＰＵ２２１に、決定プログラム２２４ｃの実行により決定された処理が施錠解除処理を含み、且つ、後述する入力部３２（指示入力手段）により施錠の開錠が指示された場合に、施錠を開錠する機能を実現させるためのプログラムである。
具体的には、ピンコードに対応する処理として決定された処理に「施錠解除処理」が含まれ、さらに、居住者が端末装置３の入力部３２において施錠の解除を指示する操作を行った場合に、施錠駆動部２３を制御して玄関ドアに設けられた電子錠の施錠を解除し、施錠の解除から所定時間経過後に、再び施錠を行う。つまり、端末装置３を使用する居住者は、少なくとも施錠解除処理に対応づけられたピンコード（図３の記憶部では、「ｘｘｘｘ」、「ｚｚｚｚ」）を付与された来訪者が来訪したときのみ、玄関ドアの電子錠の施錠を解除することができる。
ＣＰＵ２２１は、かかる施錠制御プログラム２２４ｈを実行することにより、施錠駆動部２３とともに施錠制御手段として機能する。
【００４４】
（端末装置の構成）
端末装置３は、例えば、図２に示すように、セキュリティ装置２との間で各種データの送受信を行う通信部（第３受信手段）３１、居住者が施錠を解除する旨の指示等を入力する入力部（指示入力手段）３２、撮像画像データ等の表示を行う出力部（出力手段）３３、居住者が来訪者と通話する際に使用する第２通話部３４、制御部３５等を備えて構成される。
【００４５】
通信部３１は、セキュリティ装置２と第２の通信回線Ｃ２を介して接続される。具体的には、通信部３１は、前述した通知プログラム２２４ｄの実行においてセキュリティ装置２から送信されてくる来訪者の来訪を通知する電子メール等の所定の情報を受信する。また、後述する第３受信プログラム３５４ａの実行において、セキュリティ装置２から転送されてくる来訪者を撮像した撮像画像データを受信する。さらに、来訪者と居住者との通話中に、セキュリティ装置２から転送されてくる来訪者の音声に基づく音声データを受信するとともに、第２通話部３４に入力される居住者の音声に基づく音声データをセキュリティ装置２に送信する。
【００４６】
入力部３２は、例えば、施錠の解除を指示するための施錠解除キー（図示省略）等を備えて構成され、この施錠解除キーの操作に基づいて、施錠の解除を指示する所定の情報がセキュリティ装置２に送信されるようになっている。
【００４７】
出力部３３は、例えば、ディスプレイ等を備えて構成され、来訪者の来訪を居住者に通知するための文字表示や、セキュリティ装置２を介して室外機器１から送信された撮像画像データの表示等に用いられる。
【００４８】
第２通話部３４は、音声を入力する第２マイクロフォン３４１、セキュリティ装置２から送信された音声を出力する第２スピーカ３４２、増幅等の各種音声処理を行う音声処理回路（図示省略）等を備え、後述する第４送信プログラム２２４ｇの実行に際して、室外機器１を使用する来訪者との間の通話を実現する。
第２マイクロフォン３４１は、居住者の入力した音声を電気信号に変換する。第２マイクロフォン３４１により入力された居住者の音声は、セキュリティ装置２を介して室外機器１に伝送される。
第２スピーカ３４２は、セキュリティ装置２を介して室外機器１から送信される電気信号を音声に変換して出力することにより、室外機器１側の来訪者が入力する音声を出力する。
【００４９】
制御部３５は、例えば、ＣＰＵ（Central Processing Unit）３５１、ＣＰＵ３５１のワークエリアとして用いられるＲＡＭ（Random Access Memory）３５２等の揮発性メモリ、ＥＥＰＲＯＭ（Electrically Erasable Programmable ROM）３５３、ＲＯＭ（Read Only Memory）３５４等の不揮発性メモリ等を備えて構成される。
【００５０】
ＣＰＵ３５１は、端末装置３の各部から入力される入力信号に応じて、ＲＯＭ３５４に格納された各種プログラムを実行するとともに、実行にかかるプログラムに基づいて各部に出力信号を出力することにより、端末装置３の動作全般を統括制御する。
【００５１】
ＲＯＭ３５４は、プログラム格納エリアを有しており、具体的には、第３受信プログラム３５４ａ、出力プログラム３５４ｂ等を格納している。
【００５２】
第３受信プログラム３５４ａは、例えば、ＣＰＵ３５１に、第３送信プログラム２２４ｆの実行により送信された撮像画像データを受信する機能を実現させるためのプログラムである。
具体的には、ＣＰＵ３５１は、室外機器１において取得され、セキュリティ装置２から送信される来訪者を撮像した撮像画像データを、通信部３１において受信する。
ＣＰＵ３５１は、かかる第３受信プログラム３５４ａを実行することにより、通信部３１とともに第３受信手段として機能する。
【００５３】
出力プログラム３５４ｂは、例えば、ＣＰＵ３５１に、第３受信プログラム３５４ａの実行により受信された撮像画像データを出力する機能を実現させるためのプログラムである。
具体的には、ＣＰＵ３５１は、セキュリティ装置２から受信した撮像画像データを出力部３３のディスプレイに表示させる。これにより、外出先の居住者が、自宅に訪問してきた来訪者を画像で確認することができる。
ＣＰＵ３５１は、かかる出力プログラム３５４ｂを実行することにより、出力部３３とともに出力手段として機能する。
【００５４】
次に、図４〜図６のフローチャートを参照しながら、本実施形態のセキュリティシステムＳの室外機器１、セキュリティ装置２、端末装置３の間で実行される処理の流れについて説明する。
なお、以下に説明するステップＳ６〜Ｓ８の端末装置３への通知処理、ステップＳ９〜Ｓ１５の端末装置３への撮像画像データの送信処理、ステップＳ１６〜Ｓ２２の端末装置３と室外機器１との間の通話処理、ステップＳ２３〜Ｓ２５の施錠解除処理は、以下に示す順番で実行されなくとも良く、異なる順番で実行されても良い。また、これら複数の処理が任意の順番で交互に実行されても良い。
【００５５】
まず、図４のステップＳ１において、来訪者は、入力部１２においてピンコードを入力する。ステップＳ２において、室外機器１のＣＰＵ１５１は、ステップＳ１において入力されたピンコードを第１の通信回線Ｃ１を介してセキュリティ装置２に送信する。
セキュリティ装置２のＣＰＵ２２１は、ステップＳ３において、室外機器１から送信されたピンコードを受信すると、ステップＳ４において、受信したピンコードが記憶部２２３に記憶されているピンコードであるか否かに基づいて、来訪者により入力されたピンコードが正規のピンコードであるか否かを判別する。そして、受信したピンコードが記憶部２２３に記憶されておらず、正規のピンコードでないと判別した場合には（ステップＳ４；Ｎｏ）、本処理を終了する。一方、受信したピンコードが記憶部２２３に記憶されており、正規のピンコードであると判別した場合には（ステップＳ４；Ｙｅｓ）、ステップＳ５において、記憶部２２３に基づいて、来訪者により入力されたピンコードに対応する処理を決定する。
【００５６】
ステップＳ６において、セキュリティ装置２のＣＰＵ２２１は、ステップＳ５において決定されたピンコードに対応する処理に「端末装置３への通知」が含まれているか否かを判断する。ＣＰＵ２２１は、ピンコードに対応する処理に「端末装置３への通知」が含まれていない場合には（ステップＳ６；Ｎｏ）、ステップＳ９に進む。一方、ピンコードに対応する処理に「端末装置３への通知」が含まれている場合には（ステップＳ６；Ｙｅｓ）、ステップＳ７において、来訪者の来訪を通知する電子メール等の所定の情報を第２の通信回線Ｃ２を介して端末装置３に送信する。
端末装置３のＣＰＵ３５１は、ステップ８において、来訪者の来訪を通知する所定の情報をセキュリティ装置２から受信すると、当該所定の情報に基づいて、居住者に来訪者の来訪を通知する。
【００５７】
次に、セキュリティ装置２のＣＰＵ２２１は、図５のステップＳ９において、ステップＳ５において決定されたピンコードに対応する処理に「撮像画像データの送信」が含まれているか否かを判断する。ＣＰＵ２２１は、ピンコードに対応する処理に「撮像画像データの送信」が含まれていない場合には（ステップＳ９；Ｎｏ）、ステップＳ１６に進む。一方、ピンコードに対応する処理に「撮像画像データの送信」が含まれている場合には（ステップＳ９；Ｙｅｓ）、ステップＳ１０において、監視カメラ１３を備える室外機器１に対して撮像画像データの送信を要求する。
室外機器１のＣＰＵ１５１は、セキュリティ装置２からの撮像画像データの要求に基づいて、ステップＳ１１において、監視カメラ１３により来訪者の少なくとも顔部分を撮像して撮像画像データを取得し、ステップＳ１２において、取得した撮像画像データを第１の通信回線Ｃ１を介してセキュリティ装置２に送信する。
セキュリティ装置２のＣＰＵ２２１は、ステップＳ１３において、室外機器１から送信されてきた撮像画像データを受信すると、この撮像画像データを端末装置３に転送する。
端末装置３のＣＰＵ３５１は、ステップＳ１４において、セキュリティ装置２から送信されてきた撮像画像データを受信すると、ステップＳ１５において、出力部３３のディスプレイ等に受信した撮像画像データに基づく画像を表示させる。
【００５８】
次に、セキュリティ装置２のＣＰＵ２２４は、ステップＳ１６において、ステップＳ５において決定されたピンコードに対応する処理に「通話」が含まれているか否かを判断する。ＣＰＵ２２４は、ピンコードに対応する処理に「通話」が含まれていない場合には（ステップＳ１６；Ｎｏ）、ステップＳ２３に進む。一方、ピンコードに対応する処理に「通話」が含まれている場合には（ステップＳ１６；Ｙｅｓ）、端末装置３と室外機器１との間の通話路を確立して、端末装置３と室外機器１との間で音声データの送受信を行う。具体的には、ステップＳ１７において、室外機器１のＣＰＵ１５１が、第２マイクロフォン３４１に入力された居住者の音声に基づく音声を第２の通信回線Ｃ２を介してセキュリティ装置２に送信すると、ステップＳ１８において、セキュリティ装置２のＣＰＵ２４１は、端末装置３から送信される音声データを第１の通信回線Ｃ１を介して室外機器１に送信する。そして、ステップＳ１９において、室外機器１のＣＰＵ１５１は、セキュリティ装置２から送信される音声データに基づく音声を第１スピーカ１４２から出力する。また、図６のステップＳ２０において、室外機器１のＣＰＵ１５１が、第１マイクロフォン１４１に入力された居住者の音声に基づく音声データを第１の通信回線Ｃ１を介してセキュリティ装置２に送信すると、ステップＳ２１において、セキュリティ装置２のＣＰＵ２４１は、室外機器１から送信される音声データを第２の通信回線Ｃ２を介して端末装置３に送信する。そして、ステップＳ２２において、端末装置３のＣＰＵ３５１は、セキュリティ装置２から送信される音声データに基づく音声を第２スピーカ３４２から出力する。なお、ステップＳ１７〜ステップＳ２２は必要に応じて繰り返される。
【００５９】
次に、セキュリティ装置２のＣＰＵ２４１は、ステップＳ２３において、ステップＳ５において決定されたピンコードに対応する処理に「施錠解除処理」が含まれているか否かを判断する。ＣＰＵ２４１は、ピンコードに対応する処理に「施錠解除処理」が含まれていない場合には（ステップＳ２３；Ｎｏ）、本処理を終了する。一方、ピンコードに対応する処理に「施錠解除処理」が含まれている場合（ステップＳ２３；Ｙｅｓ）、ステップＳ２４における端末装置３の入力部３２での施錠解除を指示する旨の操作（施錠解除キーの操作等）に応じて、ステップＳ２５において、端末装置３から施錠解除の指示が入力されたか否かを判断し、施錠解除の指示が入力されたと判断すると（ステップＳ２５；Ｙｅｓ）、ステップＳ２６に進む。
ステップＳ２６において、セキュリティ装置２のＣＰＵ２４１は、施錠駆動部２３を制御して電子鍵の施錠を解除し、所定時間経過後に再び施錠を行って本処理を終了する。
【００６０】
以上説明した本実施形態におけるセキュリティシステムＳによれば、室外機器（第１機器）１において、入力部（入力手段）１２によりピンコードが入力され、第１送信プログラム（第１送信手段）１５４ａにより、入力部（入力手段）１２により入力されたピンコードがセキュリティ装置（第２機器）２に送信される。また、セキュリティ装置（第２機器）２において、記憶部（記憶手段）２２３により複数のピンコードと各々に対応する処理とが互いに対応づけられて記憶され、第１受信プログラム（第１受信手段）２２４ａにより、第１送信プログラム（第１送信手段）１５４ａにより送信されたピンコードが受信される。また、判別プログラム（判別手段）２２４ｂにより、第１受信プログラム（第１受信手段）２２４ａにより受信されたピンコードが記憶部（記憶手段）２２３に記憶されたピンコードであるか否かに基づいて、ピンコードが正規のピンコードであるか否かが判別され、判別プログラム（判別手段）２２４ｂによりピンコードが正規のピンコードであると判別された場合に、決定プログラム（決定手段）２２４ｃにより、ピンコードに対応した処理が記憶部（記憶手段）２２３に基づいて決定される。さらに、決定プログラム（決定手段）２２４ｃにより決定された処理が端末装置（第３機器）３への通知処理を含む場合に、通知プログラム（通知手段）２２４ｄにより、端末装置（第３機器）３に来訪者の来訪が通知される。
すなわち、室外機器１において来訪者により入力されたピンコードが、正規のピンコードであり且つ記憶部２２３により記憶された当該ピンコードに対応する処理が端末装置３への通知処理を含む場合にのみ、端末装置３に来訪者の来訪が通知されることとなる。したがって、簡易な構成で、居住者の外出中に来訪した来訪者のうち、来訪したことの通知が必要な特定の来訪者のみを外出先の居住者が知ることが可能なセキュリティシステムを提供することができる。
つまり、端末装置３を使用する居住者は、少なくとも通知処理を含む処理に対応づけられたピンコードを付与された来訪者が来訪したときのみ、その来訪を知ることができるため、事前に、少なくとも通知処理を含む処理に対応づけられたピンコードを、来訪したことの通知が必要な特定の来訪者のみに付与すれば、その来訪者の来訪だけを確実に知ることができる。一方で、対応する必要の無い来訪者に対して不要な対応を行わずに済むこととなり、悪戯や訪問販売、勧誘等に煩わされることが無くなる。
【００６１】
また、室外機器（第１機器）１において、撮像プログラム（撮像手段）１５４ｂにより、来訪者が撮像されて撮像画像データが取得され、第２送信プログラム（第２送信手段）１５４ｃにより、撮像プログラム（撮像手段）１５４ｂにより取得された撮像画像データがセキュリティ装置（第２機器）２に送信される。また、セキュリティ装置（第２機器）２において、第２受信プログラム（第２受信手段）２２４ｅにより、第２送信プログラム（第２送信手段）１５４ｃにより送信された撮像画像データが受信され、第３送信プログラム（第３送信手段）２２４ｆにより、決定プログラム（決定手段）２２４ｃにより決定された処理が端末装置（第３機器）３への撮像画像データの送信処理を含む場合に、第２受信プログラム（第２受信手段）２２４ｅにより受信された撮像画像データが端末装置３（第３機器）に送信される。さらに、端末装置（第３機器）３において、第３受信プログラム（第３受信手段）３５４ａにより、第３送信プログラム（第３送信手段）２２４ｆにより送信された撮像画像データが受信され、出力プログラム（出力手段）３５４ｂにより、第３受信プログラム（第３受信手段）３５４ａにより受信された撮像画像データが出力される。
すなわち、室外機器１において来訪者により入力されたピンコードに対応する処理が端末装置３への撮像画像データの送信処理を含む場合にのみ、端末装置３に来訪者を撮像した撮像画像データが送信されることとなる。したがって、外出先の居住者は、外出中に自宅に来訪した来訪者のうち、撮像画像データによる確認が必要な特定の来訪者の撮像画像データのみを閲覧することが可能となる。
つまり、端末装置３を使用する居住者は、少なくとも撮像画像データの送信処理を含む処理に対応づけられたピンコードを付与された来訪者が来訪したときのみ、その来訪者を撮像した撮像画像データを閲覧することができるため、事前に、少なくとも撮像画像データの送信処理を含む処理に対応づけられたピンコードを、撮像画像データによる確認が必要な特定の来訪者のみに付与すれば、その来訪者の来訪時に、その来訪者を撮像した撮像画像データを閲覧することができる。一方で、画像を閲覧する必要の無い来訪者の撮像画像データを閲覧せずに済むこととなる。
【００６２】
また、室外機器（第１機器）１において、音声を入力するとともに、セキュリティ装置（第２機器）２から送信された音声を出力する第１通話部（第１通話手段）１４が備わり、端末装置（第３機器）３において、音声を入力するとともに、セキュリティ装置（第２機器）２から送信された音声を出力する第２通話部（第２通話手段）３４が備わる。そして、セキュリティ装置（第２機器）２において、第４送信プログラム（第４送信手段）２２４ｇにより、決定プログラム（決定手段）２２４ｃにより決定された処理が通話処理を含む場合に、室外機器（第１機器）１における第１通話部（第１通話手段）１４により入力された音声が端末装置（第３機器）３に送信されるとともに、端末装置（第３機器）３における第２通話部（第２通話手段）３４により入力された音声が室外機器（第１機器）１に送信される。
すなわち、室外機器１において来訪者により入力されたピンコードに対応する処理が通話処理を含む場合にのみ、端末装置３側の居住者と室外機器１側の来訪者との間で通話が行われることとなる。したがって、外出先の居住者は、外出中に自宅に来訪した来訪者のうち、通話が必要な特定の来訪者のみと通話することが可能となる。
つまり、端末装置３を使用する居住者は、少なくとも通話処理を含む処理に対応づけられたピンコードを付与された来訪者が来訪したときのみ、その来訪者と通話することができるため、事前に、少なくとも通話処理を含む処理に対応づけられたピンコードを、音声での応対が必要な特定の来訪者のみに付与すれば、その来訪者の来訪時に、その来訪者と通話することができる。一方で、通話する必要の無い来訪者に対して音声で応対せずに済むこととなる。
【００６３】
また、端末装置（第３機器）３において、施錠の解除を指示するための入力部（指示入力手段）３２が備わり、セキュリティ装置（第２機器）２において、決定プログラム（決定手段）２２４ｃにより決定された処理が施錠解除処理を含み且つ入力部（指示入力手段）３２により施錠の解除が指示された場合に、施錠制御プログラム（施錠制御手段）２２４ｈにより、施錠が解除される。
すなわち、室外機器１において来訪者により入力されたピンコードに対応する処理が施錠解除処理を含む場合にのみ、施錠の解除が可能となる。したがって、外出先の居住者は、外出中に自宅に来訪した来訪者のうち、施錠の解除が必要な特定の来訪者が来訪した時のみ、遠隔操作で施錠を解除することが可能となる。
つまり、端末装置３を使用する居住者は、少なくとも施錠解除処理を含む処理に対応づけられたピンコードを付与された来訪者が来訪したときのみ、施錠の解除を指示して、施錠を解除することができるため、事前に、少なくとも施錠解除処理を含む処理に対応づけられたピンコードを、施錠の解除が必要な特定の来訪者のみに付与すれば、その来訪者の来訪時に居住者が外出中であっても、その来訪者を入室させることができ、利便性が向上することとなる。例えば、子ども等の同居者が鍵を持たずに外出してしまった場合であっても、その同居者を入室させることができる。また、施錠の解除が不要な来訪者を入室させてしまう危険性がなくなるため、セキュリティ性を高めることができる。さらに、同居人は鍵を持たずに外出することができるため、外出先での鍵の紛失を防止して、セキュリティ性を高めることができる。
【００６４】
さらに、記憶部（記憶手段）２２３により、複数のピンコードの各々に、通知プログラム（通知手段）２２４ｄによる端末装置（第３機器）３への通知処理、第３送信プログラム（第３送信手段）２２４ｆによる端末装置（第３機器）３への撮像画像データの送信処理、第４送信プログラム（第４送信手段）２２４ｇによる通話処理又は施錠制御プログラム（施錠制御手段）２２４ｈによる施錠解除処理のうちの一又は複数の処理が対応づけられて記憶される。
すなわち、来訪することが予定されている来訪者の各々に対して、事前に、複数のピンコードの中から、その来訪者に対して必要な処理が対応づけられたピンコードを付与することにより、各来訪者の来訪時に、必要且つ十分な処理だけを行うことができる。したがって、本セキュリティシステムにおいて、利便性及びセキュリティ性の両方を共に向上させることができる。
【００６５】
なお、本発明の範囲は上記実施の形態に限られることなく、本発明の趣旨を逸脱しない範囲において種々の改良並びに設計の変更を行っても良い。
例えば、通信回線にＩＰ−ＰＢＸを用いて本セキュリティシステムを構築しても良い。これにより、プレゼンスやガイダンス、留守録といったＩＰ−ＰＢＸの機能を活用することができ、既存の構成を利用して安価にシステムを構成することが可能となる。
【図面の簡単な説明】
【００６６】
【図１】図１は、本実施形態のセキュリティシステムの全体構成を示す図である。
【図２】本実施形態のセキュリティシステムの要部構成を示すブロック図である。
【図３】セキュリティ装置に備わる記憶部を例示する図である。
【図４】本実施形態のセキュリティシステムにおいて、室外機器、セキュリティ装置、端末機器の間で実行される処理を示すフローチャートである。
【図５】本実施形態のセキュリティシステムにおいて、室外機器、セキュリティ装置、端末機器の間で実行される処理を示すフローチャートである。
【図６】本実施形態のセキュリティシステムにおいて、室外機器、セキュリティ装置、端末機器の間で実行される処理を示すフローチャートである。
【符号の説明】
【００６７】
Ｓ        セキュリティシステム
１        室外機器（第１機器）
１１      通信部（第１送信手段、第２送信手段）
１２      入力部（入力手段）
１３      監視カメラ（撮像手段）
１４      第１通話部（第１通話手段）
１５１    ＣＰＵ（第１送信手段、撮像手段、第２送信手段）
１５１ａ  第１送信プログラム（第１送信手段）
１５１ｂ  撮像プログラム（撮像手段）
１５１ｃ  第２送信プログラム（第２送信手段）
２        セキュリティ装置（第２機器）
２１      通信部（第１受信手段、通知手段、第２受信手段、第３送信手段、第４送信手段）
２２１    ＣＰＵ（第１受信手段、判別手段、決定手段、通知手段、第２受信手段、第３送信手段、第４送信手段、施錠解除手段）
２３      記憶部（記憶手段）
２２４ａ  第１受信プログラム（第１受信手段）
２２４ｂ  判別プログラム（判別手段）
２２４ｃ  決定プログラム（決定手段）
２２４ｄ  通知プログラム（通知手段）
２２４ｅ  第２受信プログラム（第２受信手段）
２２４ｆ  第３受信プログラム（第３受信手段）
２２４ｇ  第４送信プログラム（第４送信手段）
２２４ｈ  施錠制御プログラム（施錠制御手段）
３        端末装置（第３機器）
３１      通信部（第３受信手段、出力手段）
３２      入力部（指示入力手段）
３３      出力部（出力手段）
３４      第２通話部（第２通話手段）
３５１    ＣＰＵ（第３受信手段、出力手段）
３５４ａ  第３受信プログラム（第３受信手段）
３５４ｂ  出力プログラム（出力手段）
Ｃ１      第１の通信回線
Ｃ２      第２の通信回線
【図１】
2009230687.tif 000003
【図２】
2009230687.tif 000004
【図３】
2009230687.tif 000005
【図４】
2009230687.tif 000006
【図５】
2009230687.tif 000007
【図６】
2009230687.tif 000008